(57)【要約】      （修正有）【課題】雨天専用の空調服に着替える際に空調服用のファンを雨天専用の空調服に付け替えなければならないという面倒な手間を解消できる、空調服用ファンフードを提供する。【解決手段】空調服に取り付けられるファンに着脱可能なファンフードＤであって、ファンフードは平面視において横長をなし、側面視において縦長をなし、底面部は開口してなるとともに、背面部に円状の孔Ｆが設けられており、円状の孔の径はファンを空調服に取り付けるためのファンの着脱部位の径より大径で、着脱部位の鍔部の径より小径で、背面部の厚さに空調服の厚さを加えた長さが着脱部位の幅より小さい、空調服用ファンフード。【選択図】図２
2018012908.tif 000002
【特許請求の範囲】
【請求項１】
空調服に取り付けられるファンに着脱可能なファンフードであって、平面視において横長をなし、側面視において縦長をなし、底面部は開口してなる箱状をなすとともに、背面部に円状の孔が設けられており、該円状の孔の径は前記ファンを前記空調服に取り付けるための前記ファンの着脱部位の径より大径で、前記着脱部位の鍔部の径より小径で、前記背面部の厚さに空調服の厚さを加えた長さが前記着脱部位の幅より小さいことを特徴とするファンフード。
【請求項２】
空調服に取り付けられるファンに着脱可能なファンフードであって、平面視において横長をなし、側面視において縦長をなし、底面部は開口してなる箱状をなすとともに、背面部に底面部に向けて開口する鍵穴状の切欠きが設けられており、該鍵穴状の切欠きは１８０度より大きい中心角の弧と対向する線状部を有し、前記弧の径は前記ファンを前記空調服に取り付けるための前記ファンの着脱部位の径より大径で前記着脱部位の鍔部の径より小径で、前記対向する線状部の間の距離は前記ファンの着脱部位の径より短い形状をなし、前記背面部の厚さに空調服の厚さを加えた長さが前記着脱部位の幅より短いことを特徴とするファンフード。
【請求項３】
前記ファンフードは背面部側部材と反背面部側部材とで構成され、前記背面部側部材と前記反背面部側部材とは互いに揺動可能に軸支されていることを特徴とする請求項１または請求項２のいずれかに記載のファンフード。
【請求項４】
前記ファンフードは背面部側部材と反背面部側部材とで構成され、前記背面部側部材には雄ネジまたは雌ネジが螺刻されていて、前記反背面部側部材には雌ネジまたは雄ネジが螺刻されていて、前記背面部側部材と前記反背面部側部材とは互いに螺合することを特徴とする請求項１または請求項２のいずれかに記載のファンフード。
【請求項５】
前記ファンフードは背面部側部材と反背面部側部材とで構成され、前記背面部側部材には凸条部または凹溝部が設けられていて、前記反背面部側部材には凹溝部または凸条部が設けられていて、前記背面部側部材の凸条部または凹溝部は前記反背面部側部材の凹溝部または凸条部と嵌合可能となっていることを特徴とする請求項１または請求項２のいずれかに記載のファンフード。
【請求項６】
前記ファンフードは反背面部側が底面部に向けて末広状に傾斜をなし、底面部が反背面部側に向けて傾斜をなしていることを特徴とする請求項１から請求項５のいずれかに記載のファンフード。
【請求項７】
前記底面部にはフィルターが備えられていることを特徴とする請求項１から請求項６のいずれかに記載のファンフード。
【請求項８】
前記背面部に外方に向けて凸部が設けられ、前記空調服に前記凸部が嵌合する孔が設けられていることを特徴とする請求項１から請求項７のいずれかに記載のファンフード。
【請求項９】
空調服に取り付けられるファンであって、該ファンの風入口にフードが設けられていることを特徴とするファン。
【請求項１０】
前記ファンを空調服に取り付けるための前記ファンの着脱部位の鍔部に反風入口側に向けて凸部が設けられ、前記空調服に前記凸部が嵌合する孔が設けられていることを特徴とする請求項９に記載のファン。
【発明の詳細な説明】
【技術分野】
【０００１】
本発明は、空調服の雨天作業時の作業効率化を図ったファンに関する。
【背景技術】
【０００２】
従来の空調服には、晴天時用の空調服と雨天専用の空調服があり、雨天時の作業には雨天専用の空調服を着用していた。
【０００３】
また、市販のカッパに空調服用のファンを取り付けるための孔を開けて、空調服用のファンを取り付けても、ファンの風入口が空調服の外側にむき出しになるため、雨水が空調服内に侵入してしまい、作業環境が悪化していた。
【先行技術文献】
【特許文献】
【０００４】
【特許文献１】特開２００６―３０７３５４号
【発明の概要】
【発明が解決しようとする課題】
【０００５】
以上に述べたように従来では、雨天時には雨天専用の空調服に着替えなければならなかった。また、晴天時用の空調服と雨天専用の空調服と二着の空調服を持っていたとしてもファンは一着分を持っていることが多く晴天時用の空調服と雨天専用の空調服を着替える際にファンを付け替えなければならないという面倒な手間があった。また、雨天専用の空調服はファンから水滴の侵入を防止するために空調服と同じ素材でファンに覆いかぶさるように設計がなされていたので、ファンの風入口が塞がれ外気が空調服内に侵入しにくくなり作業環境が悪化する要因となっていた。
【０００６】
本発明は、従来の雨天専用の空調服に着替える際に空調服用のファンを雨天専用の空調服に付け替えなければならないという面倒な手間を解消することを目的とするものである。
【課題を解決するための手段】
【０００７】
本発明は上記課題を解決するために成されたもので、請求項１に記載のファンフードは、空調服に取り付けられるファンに着脱可能なファンフードであって、平面視において横長をなし、側面視において縦長をなし、底面部は開口してなる箱状をなすとともに、背面部に円状の孔が設けられており、該円状の孔の径は前記ファンを前記空調服に取り付けるための前記ファンの着脱部位の径より大径で、前記着脱部位の鍔部の径より小径で、前記背面部の厚さに空調服の厚さを加えた長さが前記着脱部位の幅より小さいことを特徴とする。
【０００８】
請求項２に記載のファンフードは、空調服に取り付けられるファンに着脱可能なファンフードであって、平面視において横長をなし、側面視において縦長をなし、底面部は開口してなる箱状をなすとともに、背面部に底面部に向けて開口する鍵穴状の切欠きが設けられており、該鍵穴状の切欠きは１８０度より大きい中心角の弧と対向する線状部を有し、前記弧の径は前記ファンを前記空調服に取り付けるための前記ファンの着脱部位の径より大径で前記着脱部位の鍔部の径より小径で、前記線状部の間の距離は前記ファンの着脱部位の径より短い形状をなし、前記背面部の厚さに空調服の厚さを加えた長さが前記着脱部位の幅より小さいことを特徴とする。
請求項３に記載のファンフードは、背面部側部材と反背面部側部材とで構成され、前記背面部側部材と前記反背面部側部材とは互いに揺動可能に軸支されていることを特徴とする。
請求項４に記載のファンフードは、背面部側部材と反背面部側部材とで構成され、前記背面部側部材には雄ネジまたは雌ネジが螺刻されていて、前記反背面部側部材には雌ネジまたは雄ネジが螺刻されていて、前記背面部側部材と前記反背面部側部材とは互いに螺合することを特徴とする。
請求項５に記載のファンフードは、背面部側部材と反背面部側部材とで構成され、前記背面部側部材には凸条部または凹溝部が設けられていて、前記反背面部側部材には凹溝部または凸条部が設けられていて、前記背面部側部材の凸条部または凹溝部は前記反背面部側部材の凹溝部または凸条部と嵌合可能となっていることを特徴とする。
請求項６に記載のファンフードは、反背面部側が底面部に向けて末広状に傾斜をなし、底面部が反背面部側に向けて傾斜をなしていることを特徴とする。
【０００９】
請求項７に記載のファンフードは、前記底面部にはフィルターが備えられていることを特徴とする。
請求項８に記載のファンフードは、前記背面部に外方に向けて凸部が設けられ、前記空調服に前記凸部が嵌合する孔が設けられていることを特徴とする。
請求項９に記載のファンは、空調服に取り付けられるファンであって、該ファンの風入口にフードが設けられていることを特徴とする。
請求項１０に記載のファンは、前記ファンを空調服に取り付けるための前記ファンの着脱部位の鍔部に反風入口側に向けて凸部が設けられ、前記空調服に前記凸部が嵌合する孔が設けられていることを特徴とする。
【発明の効果】
【００１０】
本発明は上述したように構成したので、ファンに直接設置する構造で雨天専用の空調服に付け替えることなく、雨天時でも水滴の侵入を防止することができるため、雨天専用の空調服に着替えるという手間が無くなる。
【図面の簡単な説明】
【００１１】
【図１】空調服用のファンフードの正面図
【図２】空調服用のファンフードの背面図
【図３】空調服用のファンフードの左側面図
【図４】空調服用のファンフードの右側面図
【図５】空調服用のファンフードの平面図
【図６】空調服用のファンフードの底面図
【図７】空調服用のファンフードのＺ−Ｚ矢視断面図
【図８】空調服用のファンフードのＺ−Ｚ矢視断面拡大図
【図９】空調服用ファンの分解図
【図１０−Ａ】空調服用ファンの側面図
【図１０−Ｂ】空調服用ファンの側面図の部分拡大図
【図１１】本発明を空調服に取り付ける過程を示す図
【図１２】本発明を空調服に取り付けた状態を示す図
【図１３】従来の空調服を示す図
【図１４】本発明を使用した、空調服を示す図
【図１５】ファンを取り付けるための空調服の開口部を示す図
【図１６】第二の実施例を示す図
【図１７】第三の実施例を示す図
【図１８】第四の実施例を示す図
【図１９】第五の実施例を示す図
【図２０】第六の実施例を示す図
【図２１】第七の実施例を示す左側面図
【図２２】第八の実施例を示す図
【図２３】第九の実施例を示す図
【図２４】第十の実施例を示す図
【図２５】第十一の実施例を示す図
【図２６】第十二の実施例を示す図
【図２７】第十一の実施例の別の態様を示す図
【発明を実施するための形態】
【実施例１】
【００１２】
以下、本発明を実施するための第一の実施例について説明する。
空調服用のファンフードＤは、平面視において横長をなし、側面視において縦長をなし、底面部は開口してなる箱状をなしている。背面部には円状の孔Ｆが設けられている。該円状の孔Ｆの径はファンＩを前記空調服に取り付けるための前記ファンの着脱部位Ｅの径より大径で、前記着脱部位Ｅの鍔部Ｈ、Ｇ（鍔部ＧはとめリングＢが担っている）の径より小径になっている。前記背面部の厚さに空調服Ｋの厚さを加えた長さが前記着脱部位Ｅの幅Ｃより小さくなっている。なお、前記ファンフードＤの背面部の外方に向けて凸部Ｗが設けられ、前記空調服Ｋに前記凸部Ｗが嵌合する孔が設けられている。
【００１３】
次に、本発明のファンＩを空調服Ｋに取り付ける手順を図１１及び図１２で説明する。まず、ファン部分ＡをファンフードＤの底部開口部Ｊより挿入し、ファンフードＤの円状の孔Ｆにはめる。そして、空調服Ｋの開口部Ｌにファン部分Ａをはめて止めリングＢをファン部分Ａに差し込み、ファン部分Ａと止めリングＢに設けられている係止手段により固定する。なお、前記凸部Ｗを前記空調服Ｋに設けられている開口部Ｌに嵌合させる。
【実施例２】
【００１４】
次に第二の実施例について図１６説明する。第二の実施例は請求項１０に記載の発明にかかるものである。第二の実施例のファンＩは第一の実施例と同様にファン部分ＡととめリングＢとからなっており、ファン部分Ａの風入口９にフードＭが設けられている。なお、前記ファンＩの着脱部位Ｅの鍔部Ｈの反風入口側に向けて凸部が設けられ、前記空調服Ｋに前記凸部が嵌合する孔が設けられている。第二の実施例のファンＩを空調服Ｋに取り付ける手順は第一の実施例の後半の手順と同様に行うことができる。前記凸部を前記空調服Ｋに設けられている孔に嵌合させる。
【実施例３】
【００１５】
次に第三の実施例について図１７で説明する。第三の実施例は請求項３に記載の発明にかかるものである。第三の実施例のファンフードＤは、背面部側部材Ｎと反背面部側部材Ｏとで構成されている。前記背面部側部材Ｎと前記反背面部側部材Ｏとは互いに揺動可能に軸Ｐにより軸支されている。なお、ファンフードＤの背面部の外方に向けて凸部Ｗが設けられ、空調服Ｋに前記凸部Ｗが嵌合する孔が設けられている。第三の実施例の場合のファンＩを空調服Ｋに取り付ける手順を説明する。
まず、反背面部側部材Ｏを揺動させて底部開口部Ｊを拡開した状態でファン部分Ａを背面部側部材Ｎの円状の孔Ｆに挿入する。そして、空調服Ｋの開口部Ｌにファン部分Ａをはめて止めリングＢをファン部分Ａに差し込み、ファン部分Ａと止めリングＢに設けられている係止手段により固定する。なお、前記凸部Ｗを前記空調服Ｋに設けられている孔に嵌合させる。
第三の実施例によるとファンＩを空調服Ｋに容易に取り付けることが可能になる。
上記実施例３の軸Ｐは反背面部側部材Ｏを上方に揺動させるように背面部側部材Ｎ及び反背面部側部材Ｏの上部に水平方向にも設けられているが、軸Ｐを背面部側部材Ｎ及び反背面部側部材Ｏの左右あるいは下もしくは斜め上下に設けることができるのは言うまでもない。
【実施例４】
【００１６】
次に第四の実施例について図１８で説明する。第四の実施例のファンフードＤは、背面部側部材Ｎと反背面部側部材Ｏとで構成され、前記背面部側部材Ｎには雄ネジＲが螺刻されていて、前記反背面部側部材Ｏには雌ネジＳが螺刻されていて、背面部側部材Ｎと反背面部側部材Ｏとは互いに螺合可能になっている。
第四の実施例の場合のファンＩを空調服Ｂに取り付ける手順を説明する。背面部側部材Ｎの円状の孔Ｆにファン部分Ａを挿入し、空調服Ｋの開口部Ｌにファン部分Ａをはめて止めリングＢをファン部分Ａに差し込み、ファン部分Ａと止めリングＢに設けられている係止手段により固定する。そして、背面部側部材Ｎの雄ネジＲに反背面部側部材Ｏの雌ネジＳを螺合させることにより反背面部側部材Ｏを固定し取り付けることができる。第四の実施例によるとファンＩを空調服Ｋに容易に取り付けることが可能になる。
【実施例５】
【００１７】
次に第五の実施例について図１９で説明する。第五の実施例は請求項７に記載の発明にかかるものである。第五の実施例は、ファンフードＤの底面部にフィルターＴを備えた例であり、フィルターＴは開閉可能に軸支されている。フィルターＴを備えることにより埃などが空調服内に侵入するのを防止することができる。
【実施例６】
【００１８】
次に第六の実施例について図２０で説明する。第六の実施例は請求項５に記載の発明にかかるものである。第六の実施例のファンフードＤは、背面部側部材Ｎと反背面部側部材Ｏとで構成され、前記背面部側部材Ｎには凸条部Ｕが設けられていて、前記反背面部側部材Ｏには凹溝部Ｖが設けられている。前記凸条部Ｕと前記凹溝部Ｖとは嵌合可能となっている。
第六の実施例の場合のファンＩを空調服Ｋに取り付ける手順を説明する。背面部側部材Ｎの円状の孔Ｆにファン部分Ａを挿入し、空調服Ｋの開口部Ｌにファン部分Ａをはめて止めリングＢをファン部分Ａに差し込み、ファン部分Ａと止めリングＢに設けられている係止手段により固定する。そして、背面部側部材Ｎの凸条部Ｕに反背面部側部材Ｏの凹溝部Ｖを嵌合させることにより反背面部側部材Ｏを固定し取り付けることができる。第六の実施例によるとファンＩを空調服Ｋに容易に取り付けることが可能になる。
【００１９】
なお、実施例４から実施例６においてもファンＩの着脱部位Ｅの鍔部Ｈの反風入口側に向けて凸部Ｗを設け、空調服Ｋに孔を設け、前記凸部Ｗを前記孔に嵌合させることにより、ファンフードＤが回転するのを防止することができる。
【実施例７】
【００２０】
次に第八の実施例について図２１で説明する。第八の実施例は請求項６に記載の発明にかかるものである。第八の実施例のファンフードは図２１に示すように、側面視において縦長をなし、底面部は開口してなる箱状をなすとともに、反背面部側（図２１の右側）が底面部に向けて末広状に傾斜をなし、底面部が反背面部側に向けて傾斜をなしている。反背面部側が底面部に向けて末広状に傾斜をなしているので空気抵抗が小さくなり、底面部が反背面部側に向けて傾斜をなしているので雨水などの水滴を反空調服側に排出することができる。
【実施例８】
【００２１】
次に第九の実施例について図２２で説明する。第九の実施例のファンフードは図２２に示すように、ファンフードの反背面側に下方に向けて傾斜した長孔１が５列設けられた例を示す。ファンフードの反背面側に下方に向けて傾斜した長孔１を設けることにより空気抵抗を小さくすることができ、さらに雨水などが、侵入するのを防止することができる。また、傾斜した長穴に変えて傾斜角を変更可能なブラインド形式を採用することも可能である。
【実施例９】
【００２２】
次に第十の実施例について説明する。第十の実施例のファンフードは図２３に示すように、ファンフードの背面部に設けられた円状の孔の周りにラバーなどの弾性素材９を貼り付けた例を示す。円状の孔の周りにラバーなどの弾性素材を貼り付けると防水性を増しファンフードの回転を防止することができる。また、ファンフードを弾性素材で構成することにより防水性を増しファンフードの回転を防止することができる。
【実施例１０】
【００２３】
次に第十一の実施例について説明する。第十一の実施例のファンフードは図２４に示すように、ファンフードの側面視において背面部に沿って切欠き２を設けられた例である。背面部に沿って切欠き２を設けることにより本発明の適応範囲を広げることができる。
【実施例１１】
【００２４】
次に第十二の実施例について説明する。第十二の実施例のファンフードは図２５に示すように、ファンフードＤは右側部材３と左側部材４とで構成され前記右側部材と前記左側部材とは互いに軸８により揺動可能に軸支されている。ファンフードＤを右側部材３と左側部材４とで構成し互いに揺動可能に軸支することにより、空調服にファンが設置されていてもファンにファンフードを後付けすることが可能となる。
上記実施例１２の軸８は右側部材３と左側部材４の上部に設けた例であるが、この例に限られるものではない。
例えば、図２７に示す。すなわち、右部材３と左部材４の中心部に軸８を設けることも可能である。
【実施例１２】
【００２５】
次に第十三の実施例について図２６で説明する。第十三の実施例は請求項２に記載の発明にかかるものである。第十三の実施例のファンフードは図２６に示すように、ファンフードD の背面部に鍵穴状の切欠き５が設けられている。該鍵穴状の切欠き５は、直径は９０．５ｍｍで中心角は２１６度の弧７と対向する線状部６、６を有し対向する線状部６、６の間の寸法はおおよそ８８ｍｍである。該鍵穴状の切欠き５を設けることにより、空調服にファンが設置されていてもファンにファンフードを後付けすることが可能となる。なお、対向する線状部は平行の例を示したが、平行である必要はなく傾斜していても良い。
【符号の説明】
【００２６】
Ａ  ファン部分
Ｂ  止めリング
Ｃ  幅
Ｄ  ファンフード
Ｅ  着脱部位
Ｆ  円状の孔
Ｇ  鍔部
Ｈ  鍔部
Ｉ  ファン
Ｊ  底部開口部
Ｋ  空調服
Ｌ  開口部
Ｍ  フード
Ｎ  背面部側部材
Ｏ  反背面部側部材
Ｐ  軸
Ｒ  雄ネジ
Ｓ  雌ネジ
Ｔ  フィルター
Ｕ  凸条部
Ｖ  凹溝部Ｖ
Ｗ  凸部
１  長孔
２  切欠き
３  右側部材
４  左側部材
５  U字状の切欠き
６  平行部分
７  弧の部分
８  軸
９  風入口
【図１】
2018012908.tif 000003
【図２】
2018012908.tif 000004
【図３】
2018012908.tif 000005
【図４】
2018012908.tif 000006
【図５】
2018012908.tif 000007
【図６】
2018012908.tif 000008
【図７】
2018012908.tif 000009
【図８】
2018012908.tif 000010
【図９】
2018012908.tif 000011
【図１０−Ａ】
2018012908.tif 000012
【図１０−Ｂ】
2018012908.tif 000013
【図１１】
2018012908.tif 000014
【図１２】
2018012908.tif 000015
【図１３】
2018012908.tif 000016
【図１４】
2018012908.tif 000017
【図１５】
2018012908.tif 000018
【図１６】
2018012908.tif 000019
【図１７】
2018012908.tif 000020
【図１８】
2018012908.tif 000021
【図１９】
2018012908.tif 000022
【図２０】
2018012908.tif 000023
【図２１】
2018012908.tif 000024
【図２２】
2018012908.tif 000025
【図２３】
2018012908.tif 000026
【図２４】
2018012908.tif 000027
【図２５】
2018012908.tif 000028
【図２６】
2018012908.tif 000029
【図２７】
2018012908.tif 000030